(57)【特許請求の範囲】
【請求項１】
建物に室外機と室内機とを室外機の方が室内機より上に位置するように設置すると共に室外機と室内機とを冷媒配管で連結して、冷房時には主に室外機で液化した冷媒液と室内機で気化した冷媒ガスの比重差により冷媒を循環させるようにした冷媒循環式空調システムにおいて、室外機の熱交換器と並列となるように室外機の冷媒液配管や冷媒ガス配管にタンクを接続し、上記タンクとの合流点より下流側で室外機の冷媒液配管に冷媒液を室内機側に送る補助ポンプを配置し、冷房時において、熱交換器と連通したタンクに熱交換器で凝縮した冷媒液を連通管の原理により溜めると共に該タンクの冷媒液が補助ポンプによって室内機側に供給されるようにして成ることを特徴とする冷媒循環式空調システム。
【請求項２】
建物に室外機と室内機とを室外機の方が室内機より上に位置するように設置すると共に室外機と室内機とを冷媒配管で連結して、冷房時には主に室外機で液化した冷媒液と室内機で気化した冷媒ガスの比重差により冷媒を循環させ、暖房時には室外機で気化した冷媒ガスと室内機で液化した冷媒液を建物下部部位に設けた循環ポンプにより強制循環させるようにした冷媒循環式空調システムにおいて、室外機の冷媒液配管と冷媒ガス配管との間に冷房用の熱交換器と暖房用の熱交換器とをこれらが並列に並ぶと共に暖房用の熱交換器が冷房用の熱交換器より室内機側の経路に位置するように接続し、冷房用の熱交換器と暖房用の熱交換器との間でこれらと並列になるようにタンクを室外機の冷媒液配管や冷媒ガス配管に接続し、タンクと暖房用の熱交換器との間で冷媒液配管に冷媒液を室内機側に送る補助ポンプを配置し、冷房時において、熱交換器と連通したタンクに熱交換器で凝縮した冷媒液を連通管の原理により溜めると共に該タンクの冷媒液が補助ポンプによって室内機側に供給されるようにして成ることを特徴とする冷媒循環式空調システム。
【請求項３】
補助ポンプと暖房用の熱交換器との間で冷媒液配管に補助ポンプ側から送られる冷媒液のみを通過させる逆止弁を設けて成ることを特徴とする請求項２記載の冷媒循環式空調システム。
【請求項４】
暖房用の熱交換器と直列に冷暖切り替え弁を設けて成ることを特徴とする請求項２又は請求項３記載の冷媒循環式空調システム。
【請求項５】
暖房運転時でタンクに所定以上の冷媒液が溜まっているとき補助ポンプを駆動するようにして成ることを特徴とする請求項２乃至請求項４のいずれかに記載の冷媒循環式空調システム。
【請求項６】
補助ポンプからの送液流量を一定に保つ手段を設けて成ることを特徴とする請求項１乃至請求項５のいずれかに記載の冷媒循環式空調システム。
【発明の詳細な説明】
【０００１】
【発明の属する技術分野】
本発明は、吸収式冷凍機を熱源とする冷媒循環式空調システムに関し、詳しくは冷房時における主な冷媒の循環を上部位置の室外機から流下する冷媒液と戻りの冷媒ガスの比重差によって行う冷媒循環式空調システムに関するものである。
【０００２】
【従来の技術】
従来のこの種の冷媒循環式空調システムとしては図６に示すものがある。これは建物に室外機１と室内機２とを室外機１の方が室内機２より上に位置するように設置すると共に室外機１と室内機２とを冷媒液配管３及び冷媒ガス配管４で連結して、冷房時には室外機１で液化した冷媒液と室内機２で気化した冷媒ガスの比重差により冷媒を自然循環させ、暖房時には室外機１で気化した冷媒ガスと室内機２で液化した冷媒液を建物の下部部位に設けた循環ポンプ５により強制循環させるようにしたものであり、循環ポンプ５と並列に冷房時に開き暖房時に閉じる冷暖切り替え弁６が介装されている。７は室外機１の熱交換器である。この構成によれば、冷房時の冷媒搬送に自然循環方式を採用しているために電力費がかからず、ランニングコストを大幅に節減できる上、騒音も低減できるという利点がある。しかし、大型のビルや横長のビルのように１階当たりの部屋数の多い建物では、水平方向への冷媒搬送にエネルギーが多く消費されるために、自然循環方式の採用が困難となるという問題がある。
【０００３】
この問題を解決するものとして本特許出願人は先に図７に示すような冷媒循環式空調システムを提案した。このシステムのものは図６と基本的に同じであるが、室外機１の冷媒液配管３にタンク８と補助ポンプ９と定差圧弁１０と冷暖切り替え弁１１を設けた点だけが異なる。タンク８は熱交換器７で凝縮した冷媒液を受けるものであって、熱交換器７の下方に配置して熱交換器７に直列に接続してある。また補助ポンプ９は上記タンク８に連続するようにタンク８と直列に接続してある。また定差圧弁１０や冷暖切り替え弁１１はタンク８や補助ポンプ９と並列になるように冷媒液配管３に接続してある。しかして冷房時には室外機１で液化された冷媒液が図７の実線の矢印に示されるように、各冷媒液配管３を通って各室内機２に供給され、室内機２で気化された冷媒ガスが冷媒ガス配管４を通って室外機１へ還流する。このとき冷媒液と冷媒ガスの比重差を利用して行うことができて、冷媒の循環は主に自然循環式で行われるようになっているが、冷房時の冷媒液の自然循環の高低差不足を補うために補助ポンプ９が駆動され、水平配管が長くても送液圧力の不足を生じないようになっている。このとき定差圧弁１０は補助ポンプ９の出口側の圧力が所定以上になると冷媒液を戻す作用をするものであって、補助ポンプ９の出口側の圧力が一定以上にならないようにするためのものである。またタンク８は補助ポンプ９が空運転しないように冷媒液を溜めるものである。なお、冷房時には冷暖切り替え弁６が開かれていると共に冷暖切り替え弁１１が閉じられている。一方、暖房時は冷暖切り替え弁６が閉じられると共に冷暖切り替え弁１１が開かれ、循環ポンプ５を駆動して図７の破線の矢印のように室外機１で気化した冷媒ガスが降下させると共に室内機２で液化した冷媒液を上昇させるように強制循環させられる。
【０００４】
【発明が解決しようとする課題】
ところで、上記のような図７のシステムの場合、冷房時に補助ポンプ９を駆動することで自然循環式のヘッド不足を補って水平配管が長くても冷媒液を送ることができるが、補助ポンプ９の空運転を防止するタンク８に凝縮した冷媒液が落ちにくくて補助ポンプ９により冷媒液の移送が円滑に行われないことがある。つまり、熱交換器７とタンク８とを直列に接続しているために上に位置する熱交換器７と下に位置するタンク８とに落差を設けなければ熱交換器７で凝縮した冷媒液がタンク８に落ちてきにくく、また熱交換器７とタンク８との距離が離れていると冷媒液がタンク８に落ちてきにくくなる。ところが、室外機１で熱交換器７とタンク８とに十分な落差を設けたりした場合、室外機１が大型になるなど新たな問題が生じる。また上記の構造の場合、冷房用の熱交換器と暖房用の熱交換器とが同じものである場合にしか対応できないという問題もある。
【０００５】
本発明は叙述の点に鑑みてなされたものであって、熱交換器とタンクに落差を設けたりしなくても冷房時に凝縮した冷媒液をスムーズに溜めて補助ポンプで供給でき、また冷房用の熱交換器と暖房用の熱交換器を別々のものにできるようにすることを課題とする。
【０００６】
【課題を解決するための手段】
上記課題を解決するために本発明の冷媒循環式空調システムは次の特徴を有している。本発明の第１の特徴は、建物に室外機１と室内機２とを室外機１の方が室内機２より上に位置するように設置すると共に室外機１と室内機２とを冷媒配管で連結して、冷房時には主に室外機１で液化した冷媒液と室内機２で気化した冷媒ガスの比重差により冷媒を循環させるようにした冷媒循環式空調システムにおいて、室外機１の熱交換器７と並列となるように室外機１の冷媒液配管３や冷媒ガス配管４にタンク８を接続し、上記タンク８との合流点より下流側で室外機１の冷媒液配管３に冷媒液を室内機２側に送る補助ポンプ９を配置し、冷房時において、熱交換器７と連通したタンク８に熱交換器７で凝縮した冷媒液を連通管の原理により溜めると共に該タンク８の冷媒液が補助ポンプ９によって室内機２側に供給されるようにして成ることを特徴とする。熱交換器７とタンク８とを冷媒液配管３や冷媒ガス配管４に並列に接続したことにより、熱交換器７とタンク８とに落差がなくても、熱交換器７とタンク８とが離れていても、熱交換器７とタンク８とが連通管の原理で連通しているために熱交換器７で凝縮した冷媒液がスムーズに溜まり、冷媒液を補助ポンプ９でスムーズに送ることができる。これにより室外機１の熱交換器７やタンク８の配置に制約を受けることなく、室外機１が大型になったりする弊害がない。
【０００７】
本発明の第２の特徴は、建物に室外機１と室内機２とを室外機１の方が室内機２より上に位置するように設置すると共に室外機１と室内機２とを冷媒配管で連結して、冷房時には主に室外機１で液化した冷媒液と室内機２で気化した冷媒ガスの比重差により冷媒を循環させ、暖房時には室外機１で気化した冷媒ガスと室内機２で液化した冷媒液を建物下部部位に設けた循環ポンプ５により強制循環させるようにした冷媒循環式空調システムにおいて、室外機１の冷媒液配管３と冷媒ガス配管４との間に冷房用の熱交換器７と暖房用の熱交換器１２とをこれらが並列に並ぶと共に暖房用の熱交換器１２が冷房用の熱交換器７より室内機２側の経路に位置するように接続し、冷房用の熱交換器７と暖房用の熱交換器１２との間でこれらと並列になるようにタンク８を室外機１の冷媒液配管３や冷媒ガス配管４に接続し、タンク８と暖房用の熱交換器１２との間で冷媒液配管３に冷媒液を室内機２側に送る補助ポンプ９を配置し、冷房時において、熱交換器７と連通したタンク８に熱交換器７で凝縮した冷媒液を連通管の原理により溜めると共に該タンク８の冷媒液が補助ポンプ９によって室内機２側に供給されるようにして成ることを特徴とする。冷房用の熱交換器７とタンク８とを冷媒液配管３や冷媒ガス配管４に並列に接続したことにより、熱交換器７とタンク８とに落差がなくても、熱交換器７とタンク８とが離れていても、熱交換器７とタンク８とが連通管の原理で連通しているために冷房時に熱交換器７で凝縮した冷媒液がスムーズに溜まり、冷媒液を補助ポンプ９でスムーズに送ることができる。これにより室外機１の熱交換器７やタンク８の配置に制約を受けることなく、室外機１が大型になったりする弊害がない。また冷房時には室内機２で気化した冷媒ガスが冷媒ガス配管４を介して室外機１の冷房用の熱交換器７に送られ、冷房用の熱交換器７で液化した冷媒液が室内機２に送られものであり、暖房時には室内機２で液化した冷媒液が冷媒液配管３を介して室外機１の暖房用の熱交換器１２に送られ、暖房用の熱交換器１２で冷媒液が気化され、気化された冷媒ガスが室内機２に送られるものであり、冷房時と暖房時に別々の熱交換器７，１２を用いて効果的に冷房や暖房ができる。
【０００８】
また本発明の第３の特徴は、第２の特徴において、補助ポンプ９と暖房用の熱交換器１２との間で冷媒液配管３に補助ポンプ９側から送られる冷媒液のみを通過させる逆止弁１３を設けて成ることを特徴とする。この場合、暖房運転時、冷媒液が補助ポンプ９側に送られるのを防止し、暖房用の熱交換器１２に冷媒液を確実に送ることができる。
【０００９】
また本発明の第４の特徴は、第２又は第３の特徴において、暖房用の熱交換器１２と直列に冷暖切り替え弁１５を設けて成ることを特徴とする。この場合、冷暖切り替え弁１５の切り替えにて冷房時には冷房用の熱交換器７のみに冷媒が流れ、暖房時には暖房用の熱交換器１２のみに冷媒が流れるようにできる。
【００１０】
また本発明の第５の特徴は、第２乃至第４の特徴において、暖房運転時でタンク８に所定以上の冷媒液が溜まっているとき補助ポンプ９を駆動するようにして成ることを特徴とする。この場合、暖房運転時に冷媒が冷房用の熱交換器７に流入しても補助ポンプ９にて戻すことができる。
【００１１】
また本発明の第６の特徴は、第１乃至第５の特徴において、補助ポンプ９からの送液流量を一定に保つ手段を設けて成ることを特徴とする。この場合、補助ポンプ９で冷媒液を送るとき、送液流量を一定に保つことができて安定した送液をすることができる。
【００１２】
【発明の実施の形態】
まず、図１に示す実施の形態から述べる。
【００１３】
建物には室外機１と室内機２とが室外機１が室内機２より上に位置するように設置されている。例えば室外機１は建物の屋上に設置されており、室内機２は建物内の複数の部屋に設置されている。この室外機１と複数個の室内機２とが冷媒液配管３及び冷媒ガス配管４にて接続されている。そして冷房時には室外機１で液化された冷媒液が、図１の実線の矢印に示すように冷媒液配管３を通って各室内機２に供給され、室内機２で気化された冷媒ガスが冷媒ガス配管４を通って室外機１へ還流する。このとき、冷媒液と冷媒ガスとの比重差を利用できるので、冷媒の循環は主に自然循環方式で行われる。一方暖房時には、図１の破線の矢印に示すように室外機１で気化した冷媒ガスが降下し、室内機２で液化した冷媒液を上昇させる必要があるので、冷媒の循環は建物下部位置に設けた循環ポンプ５にて強制的に行われる。このときの冷房と暖房の切り換えは冷暖切り替え弁６によって行われるものであり、この冷暖切り替え弁６は冷房時に開き、暖房時に閉じるようになっている。こうして冷房時の冷媒搬送に主に自然循環方式を採用することにより、夏季における電力コストを節減すると共に、騒音を低減しているのである。
【００１４】
室外機１では冷媒液配管３と冷媒ガス配管４との間に冷房用の熱交換器７と暖房用の熱交換器１２とが熱交換器７と熱交換器１２が並列になるように接続してある。この熱交換器７，１２は例えば熱交換コイルにて形成されている。冷房用の熱交換器７と暖房用の熱交換器１２とは配管系で冷房用の熱交換器７より暖房用の熱交換器１２を室内機２側に位置させてある。また冷房用の熱交換器７と暖房用の熱交換器１２との間でこれらと並列になるように冷媒液配管３と冷媒ガス配管４との間にタンク８を接続してある。冷房用の熱交換器７と暖房用の熱交換器１２との間で室外機１の冷媒液配管３に補助ポンプ９を配置してあり、この補助ポンプ９を駆動することで補助的に冷媒液を送ることができるようになっている。この補助ポンプ９は冷媒液を数ｍの高さへ汲み上げることができる程度の小能力のもので十分であり、設備コストやランニングコストに殆ど影響を及ぼさないものである。上記タンク８にはフロートスイッチのような液面計１４を装着してあり、タンク８の冷媒液の液面を検知してタンク８の液面が所定高さ以上あるとき補助ポンプ９を駆動して冷媒液を送ることができるようになっている。この冷媒液配管３の補助ポンプ９の出口側に補助ポンプ９側からは冷媒液が流れるが、逆には流れない逆止弁１３を補助ポンプ９と直列に接続してある。また室外機１の冷媒液配管３には補助ポンプ９や逆止弁１３と並列になるように定差圧弁１０を接続してある。また暖房用の熱交換器１２と直列に冷暖切り替え弁１５を接続してある。
【００１５】
しかして冷暖切り替え弁１５を閉じて暖房用の熱交換器１２に冷媒が流れないようにした状態で冷房を行うのであるが、冷房時には室内機２から冷媒ガス配管４を通って冷房用の熱交換器７に送られてきた冷媒ガスは熱交換器７で熱交換して凝縮することにより液化して冷媒液となり、凝縮して溜まった冷媒液が補助ポンプ９にて送られ、補助ポンプ９による補助的な送りと、比重差による循環にて室内機２に送られる。この場合、補助ポンプ９にて送ることにより水平配管が長くてもヘッドの不足分を補って室内機２に確実に送ることができる。またタンク８に冷媒液を溜め、タンク８の液面が所定以上の液位のとき補助ポンプ９を駆動して送ることができるために補助ポンプ９を空運転するおそれがない。また冷房用の熱交換器７とタンク８とを並列に接続して熱交換器７とタンク８とが連通管の原理で連通しているため、熱交換器７とタンク８との落差が小さくても、これらの間の距離が離れていても、タンク８に凝縮した冷媒液をスムーズに溜めることができて冷媒液の送りがスムーズに行われる。また補助ポンプ９と並列に定差圧弁１０を設けてあるために補助ポンプ９の出口側の圧力が高くなると定差圧弁１０を介して冷媒液が戻り、冷媒液が必要以上の圧力に加圧されて送られることがない。また冷暖切り替え弁１５を開いて暖房用の熱交換器１２に冷媒が流れるようにした状態で暖房を行うのであるが、暖房時には室内機２から冷媒液配管３を通って暖房用の熱交換器１２に送られてきた冷媒液は熱交換器１２で熱交換して気化して冷媒ガスとなり、冷媒ガスが冷媒ガス配管４を通って室内機２に送られる。暖房時に冷媒液が補助ポンプ９の方に流れても逆止弁１３があるために流れることがない。また冷媒ガスの一部が冷房用の熱交換器７に流れて凝縮することがあるが、このときタンク８の液面が所定高さ以上になると補助ポンプ９が駆動されて冷媒液が戻される。
【００１６】
また、補助ポンプ９から送る冷媒液の流量を一定に保つためには次の手段が用いられる。その一例としては図２（ａ）に示すように補助ポンプ９の下流側に定流量弁１８を設けるものがある。この場合、定流量弁１８にて流量を一定に保って冷媒液を送ることができる。また他例としては図１や図２（ｂ）に示すように補助ポンプ９と並列に定差圧弁１０を設けるものがある。この場合、補助ポンプ９の吐出側の圧力を一定に保って送液流量を一定に保つことができる。さらに他例としては図３（ｃ）に示すように補助ポンプ９の回転数を変化させるものがある。この場合、室内機２からの負荷信号により補助ポンプ９の回転数を制御して送液流量を一定に保つようになっている。
【００１７】
次に図３に示す実施の形態について述べる。本例も図１に示すシステムと基本的に同じであり、同じ部分に同じ符号を付して詳しい説明は省略する。図３R>３に示すものは、図１の暖房用の熱交換器１２、冷暖切り替え弁１５、逆止弁１３をなくしたものであり、冷房だけを専用に行うシステムである。この場合も補助ポンプ９にて送ることにより水平配管が長くてもヘッドの不足分を補って室内機２に確実に送ることができる。またタンク８に冷媒液を溜め、タンク８の液面が所定以上の液位のとき補助ポンプ９を駆動して送ることができるために補助ポンプ９を空運転するおそれがない。また冷房用の熱交換器７とタンク８とを並列に接続して熱交換器７とタンク８とが連通管の原理で連通しているため、熱交換器７とタンク８との落差が小さくても、これらの間の距離が離れていても、タンク８に凝縮した冷媒液をスムーズに溜めることができて冷媒液の送りがスムーズに行われる。
【００１８】
次に図４、図５に示す実施の形態について述べる。これらのものも、上記例のものと基本的に同じであり、同じ部品に同じ符号を付して詳しい説明は省略する。この場合、さらに切り替え弁１６を設け、逆止弁１３の配置を変更している。
【００１９】
【発明の効果】
本発明の請求項１の発明は、建物に室外機と室内機とを室外機の方が室内機より上に位置するように設置すると共に室外機と室内機とを冷媒配管で連結して、冷房時には主に室外機で液化した冷媒液と室内機で気化した冷媒ガスの比重差により冷媒を循環させるようにした冷媒循環式空調システムにおいて、室外機の熱交換器と並列となるように室外機の冷媒液配管や冷媒ガス配管にタンクを接続し、上記タンクとの合流点より下流側で室外機の冷媒液配管に冷媒液を室内機側に送る補助ポンプを配置し、冷房時において、熱交換器と連通したタンクに熱交換器で凝縮した冷媒液を連通管の原理により溜めると共に該タンクの冷媒液が補助ポンプによって室内機側に供給されるようにしているので、補助ポンプを駆動することにより主に自然循環で送る冷媒液をさらに補助的に送ることができて水平配管が長くても室内機に冷媒液を確実に送ることができるものであるのは勿論、熱交換器とタンクとを冷媒液配管や冷媒ガス配管に並列に接続したことにより、熱交換器とタンクとに落差がなくても、熱交換器とタンクとが離れていても、熱交換器とタンクとが連通管の原理で連通しているために熱交換器で凝縮した冷媒液がスムーズに溜まり、冷媒液を補助ポンプでスムーズに送ることができるものであり、これにより室外機の熱交換器やタンクの配置に制約を受けることなく、室外機が大型になったりする弊害がないものである。
【００２０】
本発明の請求項２の発明は、建物に室外機と室内機とを室外機の方が室内機より上に位置するように設置すると共に室外機と室内機とを冷媒配管で連結して、冷房時には主に室外機で液化した冷媒液と室内機で気化した冷媒ガスの比重差により冷媒を循環させ、暖房時には室外機で気化した冷媒ガスと室内機で液化した冷媒液を建物下部部位に設けた循環ポンプにより強制循環させるようにした冷媒循環式空調システムにおいて、室外機の冷媒液配管と冷媒ガス配管との間に冷房用の熱交換器と暖房用の熱交換器とをこれらが並列に並ぶと共に暖房用の熱交換器が冷房用の熱交換器より室内機側の経路に位置するように接続し、冷房用の熱交換器と暖房用の熱交換器との間でこれらと並列になるようにタンクを室外機の冷媒液配管や冷媒ガス配管に接続し、タンクと暖房用の熱交換器との間で冷媒液配管に冷媒液を室内機側に送る補助ポンプを配置し、冷房時において、熱交換器と連通したタンクに熱交換器で凝縮した冷媒液を連通管の原理により溜めると共に該タンクの冷媒液が補助ポンプによって室内機側に供給されるようにしているので、冷房時に補助ポンプを駆動することにより主に自然循環で送る冷媒液をさらに補助的に送ることができて水平配管が長くても室内機に冷媒液を確実に送ることができるものであるのは勿論、冷房用の熱交換器とタンクとを冷媒液配管や冷媒ガス配管に並列に接続したことにより、熱交換器とタンクとに落差がなくても、熱交換器とタンクとが離れていても、熱交換器とタンクとが連通管の原理で連通しているために冷房時に熱交換器で凝縮した冷媒液がスムーズに溜まり、冷媒液を補助ポンプでスムーズに送ることができるものであり、これにより室外機の熱交換器やタンクの配置に制約を受けることなく、室外機が大型になったりする弊害がないものであり、また冷房時には室内機で気化した冷媒ガスが冷媒ガス配管を介して室外機の冷房用の熱交換器に送られ、冷房用の熱交換器で液化した冷媒液が室内機に送られ、暖房時には室内機で液化した冷媒液が冷媒液配管を介して室外機の暖房用の熱交換器に送られ、暖房用の熱交換器で冷媒液が気化され、気化された冷媒ガスが室内機に送られるものであって、冷房時と暖房時に別々の熱交換器を用いて効果的に冷房や暖房ができるものである。
【００２１】
また本発明の請求項３の発明は、請求項２において、補助ポンプと暖房用の熱交換器との間で冷媒液配管に補助ポンプ側から送られる冷媒液のみを通過させる逆止弁を設けているので、暖房運転時、冷媒液が補助ポンプ側に送られるのを防止して暖房用の熱交換器に冷媒液を確実に送ることができるものである。
【００２２】
また本発明の請求項４の発明は、請求項２又は請求項３において、暖房用の熱交換器と直列に冷暖切り替え弁を設けているので、冷暖切り替え弁の切り替えにて冷房時には冷房用の熱交換器のみに冷媒が流れ、暖房時には暖房用の熱交換器のみに冷媒が流れるようにできるものである。
【００２３】
また本発明の請求項５の発明は、請求項２乃至請求項４において、暖房運転時でタンクに所定以上の冷媒液が溜まっているとき補助ポンプを駆動するようにしているので、暖房運転時に冷媒が冷房用の熱交換器に流入しても補助ポンプにて戻すことができるものである。
【００２４】
また本発明の請求項６の発明は、請求項１乃至請求項５のいずれかにおいて、補助ポンプからの送液流量を一定に保つ手段を設けているので、補助ポンプで冷媒液を送るとき、送液流量を一定に保つことができて安定した送液をすることができるものである。
【図面の簡単な説明】
【図１】  本発明の実施の形態の一例を示す配管系統図である。
【図２】  （ａ）（ｂ）（ｃ）は同上の補助ポンプからの送液流量を一定に保つ手段を示す系統図である。
【図３】  同上の他例を示す配管系統図である。
【図４】  同上の他例を示す配管系統図である。
【図５】  同上の他例を示す配管系統図である。
【図６】  従来例を示す配管系統図である。
【図７】  上記従来例を進歩させたものの配管系統図である。
【符号の説明】
１  室外機
２  室内機
３  冷媒液配管
４  冷媒ガス配管
５  循環ポンプ
６  冷暖切り替え弁
７  熱交換器
８  タンク
９  補助ポンプ
１２  熱交換器
１３  逆止弁
１５  冷暖切り替え弁
【図１】
0003884517.tif 000002
【図２】
0003884517.tif 000003
【図３】
0003884517.tif 000004
【図４】
0003884517.tif 000005
【図５】
0003884517.tif 000006
【図６】
0003884517.tif 000007
【図７】
0003884517.tif 000008